(57)【要約】      （修正有）【課題】筆記具容器のキャップ体の逆転防止構造を提供する。【解決手段】キャップ体３は、ねじ込み方式により筆記具容器２を封止し、機能性溶液をその内部に貯蔵する。逆転防止構造１は、キャップ体３のねじ山部３２の一側に設けられる第１爪車部１１と、筆記具容器のねじ山部２１の一側に対応して設けられる第２爪車部１２とを含む。２つの爪車部１１、１２の取付方向と、ねじ山部２１、３２とが反対に取り付けられることにより、２つの爪車部１１、１２の係止面方向をねじ山部２１、３２が外部にねじ回しをする方向に合わせてねじ込み締結することが可能となり、もって組立と使用の安定性が大幅に向上されると共に、キャップ体３が逆転して抜け落ちることを防ぐことができる。【選択図】図１
0003209381.tif 000002
【実用新案登録請求の範囲】
【請求項１】
第１爪車部と、第２爪車部と、を含む、筆記具容器のキャップ体の逆転防止構造であって、
前記キャップ体を第１ねじ山部によって、前記筆記具容器の第２ねじ山部に対応してねじ込むことにより、前記筆記具容器を完全に封止して、機能性溶液を貯蔵することができると共に、前記キャップ体が液体流出口を有し、
前記第１爪車部を前記第１ねじ山部の一側に取り付け、前記第１爪車部の一表面は第１方向案内面を形成し、その方向が前記第１ねじ山部のねじ込み方向に対応すると共に、もう一つの表面が第１係止面を形成し、その方向が前記第１ねじ山部を外側にねじ込む方向に対応しており、
前記第２爪車部を前記第１爪車部に対応して、前記第２ねじ山部の一側に取り付け、前記第２爪車部の一表面は第２方向案内面を形成し、その方向が前記第２ねじ山部のねじ込み方向に対応すると共に、もう一つの表面が第２係止面を形成し、その方向が前記第２ねじ山部を外側にねじ込む方向に対応することによって、前記キャップ体を前記第２ねじ山部にねじ込むと、前記第１係止面と前記第２係止面とが互いに当接することにより締結が形成され、前記キャップ体が逆転して抜け落ちることを防ぐことができることを特徴とする、筆記具容器のキャップ体の逆転防止構造。
【請求項２】
前記第１ねじ山部を前記キャップ体の内壁面に取り付け、前記第２ねじ山部を前記筆記具容器の外壁面に取り付けることを特徴とする、請求項１に記載の筆記具容器のキャップ体の逆転防止構造。
【請求項３】
前記第１爪車部を前記キャップ体の前記第１ねじ山部の外側付近に設け、前記第１爪車部と前記第１ねじ山部の円径が異なっていることにより段差を形成し、前記第２爪車部を前記筆記具容器の前記第２ねじ山部の底部側付近に設け、前記第２爪車部と前記第２ねじ山部の円径が異なっていることにより段差を形成することを特徴とする、請求項２に記載の筆記具容器のキャップ体の逆転防止構造。
【請求項４】
前記第１爪車部を前記キャップ体の前記第１ねじ山部の内側付近に設け、前記第１爪車部と前記第１ねじ山部の円径が異なっていることにより段差を形成し、前記第２爪車部を前記筆記具容器の前記第２ねじ山部の最上側付近に設け、前記第２爪車部と前記第２ねじ山部の円径が異なっていることにより段差を形成することを特徴とする、請求項２に記載の筆記具容器のキャップ体の逆転防止構造。
【請求項５】
前記第１爪車部と前記第１ねじ山部に段差を有することにより、階段形状を形成し、前記第２爪車部と前記第２ねじ山部もこれに合わせて階段形状を形成することを特徴とする、請求項３または請求項４に記載の筆記具容器のキャップ体の逆転防止構造。
【請求項６】
前記第１爪車部を前記キャップ体の前記第１ねじ山部の内壁面付近に取り付け、前記第２ねじ山部を前記筆記具容器の開口部の最上面付近に取り付けることを特徴とする、請求項２に記載の筆記具容器のキャップ体の逆転防止構造。
【請求項７】
前記第１爪車部を２段に分けて取り付け、かつ、２段式の前記第１爪車部を前記キャップ体の前記第１ねじ山部の内側付近と外側付近とにそれぞれ設けることによって、２段式の前記第１爪車部と前記第１ねじ山部との円径が異なっていることにより段差を形成すると共に、前記第２爪車部を前記第２ねじ山部の最上部と底部側に対応させることによって、２段式の前記第２爪車部と前記第２ねじ山部との円径が異なっていることにより段差を形成することを特徴とする、請求項２に記載の筆記具容器のキャップ体の逆転防止構造。
【請求項８】
２段式の前記第１爪車部と、前記第１ねじ山部とが段差を有していることにより、階段形状を形成すると共に、２段式の前記第２爪車部と前記第２ねじ山部もこれに合わせて階段形状を形成することを特徴とする、請求項７に記載の筆記具容器のキャップ体の逆転防止構造。
【請求項９】
前記キャップ体の内部に、前記筆記具容器の開口部の内部に穿設するインナーチューブをさらに有することを特徴とする、請求項１に記載の筆記具容器のキャップ体の逆転防止構造。
【請求項１０】
前記第１爪車部を前記インナーチューブの外壁面に設け、前記第２ねじ山部を前記筆記具容器の開口部の内壁面に設けることを特徴とする、請求項７に記載の筆記具容器のキャップ体の逆転防止構造。
【考案の詳細な説明】
【技術分野】
【０００１】
本考案は機能性溶液を貯蔵する筆記具容器の分野に関し、特にねじ込むことによって締結され、逆転による抜け落ちを防ぐことができると共に、後工程の加工コストを軽減することができる筆記具容器のキャップ体の逆転防止構造に関する。
【背景技術】
【０００２】
一般的に、文字修正具、グルーペン及びマジックペン等の筆記具容器は、修正液、グルーまたはインク等様々な機能性溶液の貯蔵に用いられる。そして、使用及び貯蔵の利便性を図るために、ほとんどは筆記具容器の開口部を封止するためのキャップ体が設けられており、その用途は機能性溶液が空気に接すことによる変質、または機能性溶液の漏れによる汚染を防ぐことである。さらに、機能性溶液を出す際の開閉及び流量制御などのために、液体流出弁または液体流出ノズルが設けられている。よって、キャップ体の設計は、機能性溶液を貯蔵する容器にとって非常に重要である。
【考案の概要】
【考案が解決しようとする課題】
【０００３】
既存のキャップ体の設計は、ねじ込み、掛け合いまたは締め嵌め等の方式により固定するものがほとんどで、さらに、所要な固定効果に基づき相応な設計がなされている。そのうち、ねじ込み方式は、構造が単純でしかも効果が高いことから、最も一般的である。また、使用の際にキャップ体が逆方向に抜け落ちることを回避する対策として、一般的に、たくさんのネジ山を設けることでねじ込みをより確実に密着させるか、または開口部を接着剤で固定する方法が採用されている。しかし、これらの対策では後工程のコストと時間が増加することになるため、改善が求められている。 
【課題を解決するための手段】
【０００４】
そのため、本考案の一目的は、筆記具容器のキャップ体の逆転防止構造を提供することである。かかる逆転防止構造によれば、キャップ体と、筆記具容器に設けられるねじ山部領域に対応して、ねじ山部の回転方向と反対方向に設けられる２つの対向する爪車部とを有することにより、締め付ける際には同期して、２つの爪車部が連動して締結効果を達成することで、キャップ体が逆転して抜け落ちるのを防ぐことができると共に、組立と使用の安定性が大幅に向上される。
【０００５】
上述の目的を達成するため、本考案の筆記具容器キャップ体の逆転防止構造として、複数の実施例が提供される。すべての実施例において、キャップ体には、第１ねじ山部と、その一側に第１爪車部とが設けられており、筆記具容器には、第２ねじ山部と、その一側に第２爪車部とが設けられていて、２つの対向する爪車部は、それぞれ方向案内面と、係止面とを有しており、キャップ体を筆記具容器にねじ込むときには、対向して設けられる２つの方向案内面により機能的なねじ込みを提供することができる。その一方、２つの対向する係止面を互いに当接させて締結を形成することにより、キャップ体が固定した後に逆転して抜け落ちることを防ぐことができる。
【０００６】
第１実施例においては、第１ねじ山部がキャップ体の内壁面に、第２ねじ山部が筆記具容器の外壁面に、第１爪車部がキャップ体の第１ねじ山部の外側付近に、それぞれ設けられ、第１爪車部と第１ねじ山部との円径が異なっていることにより段差が形成され、第２爪車部が筆記具容器の第２ねじ山部の底部側付近に設けられ、第２爪車部と第２ねじ山部との円径が異なっていることにより段差が形成されている。第２実施例においては、第１爪車部がキャップ体の第１ねじ山部の外側付近に設けられ、第１爪車部と第１ねじ山部との円径が異なっていることにより段差が形成され、第２爪車部が筆記具容器の第２ねじ山部の最上部付近に設けられ、第２爪車部と第２ねじ山部との円径が異なっていることにより段差が形成されている。さらに、上述の２つの実施例において、第１爪車部と第１ねじ山部とが段差を有していることにより、階段形状が形成されるとともに、第２爪車部と第２ねじ山部もこれに合わせて階段形状が形成されている。
【０００７】
第３実施例においては、第１爪車部がキャップ体の第１ねじ山部の内壁面付近に、第２爪車部が筆記具容器開口部の最上部に、それぞれ設けられている。第４実施例においては、第１爪車部が２段に分けて設けられており、キャップ体の第１ねじ山部の内側付近と外側付近にそれぞれ設けられる２段式の第１爪車部と第１ねじ山部との円径が異なることにより、段差が形成されている。さらに、２つの第２爪車部もこれに合わせて、第２ねじ山部の上部側と底部側に設けられ、２段式の第２爪車部と第２ねじ山部との円径が異なることにより段差が形成されている。かかる実施例において、２段式の第１爪車部と第１ねじ山部とが段差を有することにより、階段形状が形成されており、さらに、２段式の第２爪車部と第２ねじ山部もこれに合わせて階段形状が形成されている。
【０００８】
これら実施例のほかに、同じ原理を利用したもう一つの変化例として、キャップ体の内部に、筆記具容器の開口部の内部に穿設されるインナーチューブがさらに設けられ、第１爪車部をインナーチューブの外壁面に取り付けて、第２爪車部を筆記具容器開口部の内壁面に取り付けてもよい。
【図面の簡単な説明】
【０００９】
【図１】本考案の第１実施例の構造を示す図である。
【図２】本考案の第２実施例の構造を示す図である。
【図３】本考案の第３実施例の構造を示す図である。
【図４】本考案の第４実施例の構造を示す図である。
【図５】本考案の第５実施例の構造を示す図である。
【考案を実施するための形態】
【００１０】
審査官の方々の本考案の内容のさらなる理解のため、以下にて図面を参照しつつさらに詳説する。ご参照ください。
【実施例】
【００１１】
図１は、本考案の第１実施例の構造を示す図である。図１に示すように、本考案の逆転防止構造１は修正液（機能性溶液）を貯蔵する筆記具容器２に用いられる。筆記具容器２は、キャップ体３によって封止される。キャップ体３の先端部には液体流出弁３１が設けられ、キャップ体３の内壁面には第１ねじ山部３２が設けられる。筆記具容器２の開口部の先端部の外壁面にもこれに合わせて、第２ねじ山部２１が設けられることによって、第１ねじ山部３２に第２ねじ山部２１をねじ込むことで、キャップ体３によって筆記具容器２を完全に封止することができる。かかる逆転防止構造１は、主に第１爪車部１１と、第２爪車部１２とを含む。
【００１２】
第１爪車部１１は、キャップ体３の第１ねじ山部３２の外側付近に設けられ、第１爪車部１１の一表面は、第１方向案内面１１１であり、その方向は第１ねじ山部３２のねじ込み方向に対応しており、もう一つの表面は第１係止面１１２であり、その方向を第１ねじ山部３２が外側にねじ回しをする方向に対応させることによって、第１爪車部１１の断面は、略三角形状に形成される。さらに、第１爪車部１１と第１ねじ山部３２の円径が異なることにより段差が形成されることによって、第１爪車部１１と第１ねじ山部３２とが不連続な２つの平面を形成し、階段形状の構造または連続した２つの平面から構成される鋏角を有する斜面構造を形成するか、あるいは全部がすべて平面でない構造等を形成するように構成することもできるが、本考案においては、階段形状の構造を主とする。
【００１３】
第２爪車部１２は、筆記具容器２の第２ねじ山部２１の外側の底部側付近に設けられ、第２爪車部１２の一表面は、第２方向案内面１２１であり、その方向は第２ねじ山部２１のねじ込み方向に対応しており、もう一つの表面は第２係止面１２２であり、その方向を第２ねじ山部２１が外側にねじ回しをする方向に対応させることによって、第２爪車部１２の断面は、略三角形状に形成される。さらに、第２爪車部１２と第２ねじ山部２１の円径が異なることにより段差が形成されることによって、第２爪車部１２と第２ねじ山部２１とが階段形状の構造を形成している。かかるキャップ体３を筆記具容器２にねじ込む場合は、第１方向案内面１１１と第２方向案内面１２１とが対応しているため、スムーズに回すことができる。さらに、キャップ体３を逆方向に回す場合は、第１係止面１１２と第２係止面１２２とが互いに当接して締結を形成するため、キャップ体３が逆方向に回転して抜け落ちることが回避されるので、新たな回転または接着剤で固定を補助する必要はない。特に注意したい点は、第１爪車部１１と第２爪車部１２とは必要に応じて、それぞれ２以上設けられていてもよく、また、取り囲むように形成されていてもよい。さらに、その数と固定するときの締結力量とは正比例する。
【００１４】
図２は、本考案の第２実施例の構造を示す図である。図２に示すように、第２実施例において、第１爪車部１１は、キャップ体３の第１ねじ山部３２外側付近に設けられ、第２爪車部１２は、筆記具容器２の第２ねじ山部２１の最上部付近に設けられ、第１爪車部１１と第１ねじ山部３２との間、及び第２爪車部１２と第２ねじ山部２１との間には、円径が異なるために階段形状が形成されている。よって、組み立てるときの取り扱い方法も前述の実施例と同じであり、固定の効果も同じである。
【００１５】
図３は、本考案の第３実施例の構造を示す図である。図３に示すように、第３実施例において、第１爪車部１１は、キャップ体３の第１ねじ山部３２の内壁面付近に設けられ、第２爪車部１２は、筆記具容器２の開口部の最上部付近に設けられ、キャップ体３を筆記具容器２に対して一杯に締め付けたとき、第１爪車部１１と第２爪車部１２とが互いに噛み合うことにより、締結が形成される。
【００１６】
図４は、本考案の第４実施例の構造を示す図である。図４に示すように、第４実施例において、第１爪車部１１は２段に分けて設けられ、しかもそれぞれが、キャップ体３の第１ねじ山部３２の内側付近と外側付近とに設けられている。一方、２つの第２爪車部１２は、筆記具容器２の第２ねじ山部２１の上部側と底部側に対応して設けられている。２段式の第１爪車部１１と第１ねじ山部３２、及び２段式の第２爪車部１２と第２ねじ山部２１との円径が異なることにより段差が形成されることによって、対向する３段階構造が形成される。その組み立てるときの取り扱い方法も上述の第１及び第２実施例と同じであり、第１爪車部１１と第２爪車部１２とを２段式に分けることによって、噛み合わせる面積が増加されると共に、締結力量が向上する。
【００１７】
図５は、本考案の第５実施例の構造を示す図である。図５に示すように、第５実施例は、本考案における変化が比較的大きい実施例である。キャップ体３の内部にインナーチューブ３３をさらに有するとともに、筆記具容器２の開口部の内部に穿設することにより、２段目の漏れを防止している。このような設計は、修正液を貯蔵する筆記具容器２では一般的な設計である。本実施例においては、第１爪車部１１がインナーチューブ３３の外壁面に取り付け設けられ、第２爪車部１２が筆記具容器２の開口部の内壁面に設けられることによって、同じくキャップ体３を筆記具容器２にねじ込んだ後、噛み合わせによる締結の効果が達成される。
【符号の説明】
【００１８】
１  逆転防止構造
１１  第１爪車部
１１１  第１方向案内面
１１２  第１係止面
１２  第２爪車部
１２１  第２方向案内面
１２２  第２係止面
２  筆記具容器
２１  第２ねじ山部
３  キャップ体
３１  液体流出弁
３２  第１ねじ山部
３３  インナーチューブ
【図１】
0003209381.tif 000003
【図２】
0003209381.tif 000004
【図３】
0003209381.tif 000005
【図４】
0003209381.tif 000006
【図５】
0003209381.tif 000007
【手続補正書】
【提出日】平成29年1月6日(2017.1.6)
【手続補正１】
【補正対象書類名】実用新案登録請求の範囲
【補正対象項目名】全文
【補正方法】変更
【補正の内容】
【実用新案登録請求の範囲】
【請求項１】
第１爪車部と、第２爪車部と、を含む、筆記具容器のキャップ体の逆転防止構造であって、
前記キャップ体を第１ねじ山部によって、前記筆記具容器の第２ねじ山部に対応してねじ込むことにより、前記筆記具容器を完全に封止して、機能性溶液を貯蔵することができると共に、前記キャップ体が液体流出口を有し、
前記第１爪車部を前記第１ねじ山部の一側に取り付け、前記第１爪車部の一表面は第１方向案内面を形成し、その方向が前記第１ねじ山部のねじ込み方向に対応すると共に、もう一つの表面が第１係止面を形成し、その方向が前記第１ねじ山部を外側にねじ込む方向に対応しており、
前記第２爪車部を前記第１爪車部に対応して、前記第２ねじ山部の一側に取り付け、前記第２爪車部の一表面は第２方向案内面を形成し、その方向が前記第２ねじ山部のねじ込み方向に対応すると共に、もう一つの表面が第２係止面を形成し、その方向が前記第２ねじ山部を外側にねじ込む方向に対応することによって、前記キャップ体を前記第２ねじ山部にねじ込むと、前記第１係止面と前記第２係止面とが互いに当接することにより締結が形成され、前記キャップ体が逆転して抜け落ちることを防ぐことができることを特徴とする、筆記具容器のキャップ体の逆転防止構造。
【請求項２】
前記第１ねじ山部を前記キャップ体の内壁面に取り付け、前記第２ねじ山部を前記筆記具容器の外壁面に取り付けることを特徴とする、請求項１に記載の筆記具容器のキャップ体の逆転防止構造。
【請求項３】
前記第１爪車部を前記キャップ体の前記第１ねじ山部の外側付近に設け、前記第１爪車部と前記第１ねじ山部の円径が異なっていることにより段差を形成し、前記第２爪車部を前記筆記具容器の前記第２ねじ山部の底部側付近に設け、前記第２爪車部と前記第２ねじ山部の円径が異なっていることにより段差を形成することを特徴とする、請求項２に記載の筆記具容器のキャップ体の逆転防止構造。
【請求項４】
前記第１爪車部を前記キャップ体の前記第１ねじ山部の内側付近に設け、前記第１爪車部と前記第１ねじ山部の円径が異なっていることにより段差を形成し、前記第２爪車部を前記筆記具容器の前記第２ねじ山部の最上側付近に設け、前記第２爪車部と前記第２ねじ山部の円径が異なっていることにより段差を形成することを特徴とする、請求項２に記載の筆記具容器のキャップ体の逆転防止構造。
【請求項５】
前記第１爪車部と前記第１ねじ山部に段差を有することにより、階段形状を形成し、前記第２爪車部と前記第２ねじ山部もこれに合わせて階段形状を形成することを特徴とする、請求項３または請求項４に記載の筆記具容器のキャップ体の逆転防止構造。
【請求項６】
前記第１爪車部を前記キャップ体の前記第１ねじ山部の内壁面付近に取り付け、前記第２ねじ山部を前記筆記具容器の開口部の最上面付近に取り付けることを特徴とする、請求項２に記載の筆記具容器のキャップ体の逆転防止構造。
【請求項７】
前記第１爪車部を２段に分けて取り付け、かつ、２段式の前記第１爪車部を前記キャップ体の前記第１ねじ山部の内側付近と外側付近とにそれぞれ設けることによって、２段式の前記第１爪車部と前記第１ねじ山部との円径が異なっていることにより段差を形成すると共に、前記第２爪車部を前記第２ねじ山部の最上部と底部側に対応させることによって、２段式の前記第２爪車部と前記第２ねじ山部との円径が異なっていることにより段差を形成することを特徴とする、請求項２に記載の筆記具容器のキャップ体の逆転防止構造。
【請求項８】
２段式の前記第１爪車部と、前記第１ねじ山部とが段差を有していることにより、階段形状を形成すると共に、２段式の前記第２爪車部と前記第２ねじ山部もこれに合わせて階段形状を形成することを特徴とする、請求項７に記載の筆記具容器のキャップ体の逆転防止構造。
【請求項９】
前記キャップ体の内部に、前記筆記具容器の開口部の内部に穿設するインナーチューブをさらに有することを特徴とする、請求項１に記載の筆記具容器のキャップ体の逆転防止構造。
【請求項１０】
前記第１爪車部を前記インナーチューブの外壁面に設け、前記第２ねじ山部を前記筆記具容器の開口部の内壁面に設けることを特徴とする、請求項９に記載の筆記具容器のキャップ体の逆転防止構造。